(57)【要約】      （修正有）【課題】ケーブルのヘッドをしっかりと接続できる押圧式フレキシブル基板用コネクタを提供する。【解決手段】絶縁本体１０と、２つの押圧部材２０と、ハウジング３０と、を有し、該絶縁本体１０の一側面に挿設部１１が形成され、該挿設部１１に複数の端子が設置され、該絶縁本体１０の両側にそれぞれ組立溝が形成され、該各押圧部材２０は、回転可能に絶縁本体の組立溝に取り付けられ、回転軸の一端に挟持部が延設され、該挟持部が挿設部１１と対応し、該ハウジング３０は、絶縁本体１０に被装され、上面に弾性の押圧プレート３１が設けられ、該押圧プレート３１により挟持部を押圧してケーブルを挟持して固定することができ、それによれば、ケーブルと基板との間の安定性が向上する。【選択図】図１
0003178690.tif 000002
【実用新案登録請求の範囲】
【請求項１】
絶縁本体と、２つの押圧部材と、ハウジングとを有し、
その内、前記絶縁本体は、一側面に挿入開口を有する挿設部が形成され、該挿設部に複数の端子が間隔をおいて設けられ、該各端子の一端に挿設部から突出する導電部が設けられ、該絶縁本体の両側にそれぞれ該挿設部と連通する組立溝が形成され、
前記各押圧部材は、回転可能に絶縁本体の組立溝に取り付けられると共に、該組立溝に位置する回転軸を備え、該回転軸の一端に組立溝から外部へ突出する解除部が延設され、該回転軸の他端内側に、底面が挿設部に対応する挟持部が延設され、該挟持部の一側に傾斜面が設けられ、
前記ハウジングは、一側面に開口が形成され、上面両側にそれぞれ弾性を備える押圧プレートが設けられ、該開口と反対する他側面に貫通孔が形成され、該他側上縁に複数の当接プレートがそれぞれ間隔をおいて貫通孔側へ延設され、
更に、前記ハウジングは、貫通孔が挿設部と対応するように絶縁本体に被装され、前記押圧プレートは、押圧部材の挟持部に押圧され、それら当接プレートは、当接凹部と対応するように挿設部に位置することを特徴とする押圧式フレキシブル基板用コネクタ。
【請求項２】
前記挿設部の上壁に複数の当接凹部が間隔をおいて凹設され、
該当接凹部と対応するように前記当接タブが挿設部に位置することを特徴とする請求項１に記載の押圧式押圧式フレキシブル基板用コネクタ。
【請求項３】
前記絶縁本体の両側にそれぞれ、組立溝と連通する軸孔が形成され、
前記押圧部材における回転軸の前端に、回転可能に軸孔に挿設される軸心部が凸設されることを特徴とする請求項１に記載の押圧式押圧式フレキシブル基板用コネクタ。
【請求項４】
前記絶縁本体の両側にそれぞれ、組立溝と連通する軸孔が形成され、
前記押圧部材における回転軸の前端に、回転可能に軸孔に挿設される軸心部が凸設されることを特徴とする請求項２に記載の押圧式フレキシブル基板用コネクタ。
【請求項５】
前記組立溝が湾曲状に形成され、
前記押圧部材の解除部と挟持部とは、互いに反対する方向に向かって延設されることを特徴とする請求項３に記載の押圧式フレキシブル基板用コネクタ。
【請求項６】
前記組立溝が湾曲状に形成され、
前記押圧部材の解除部と挟持部とは、互いに反対する方向に向かって延設されることを特徴とする請求項４に記載の押圧式フレキシブル基板用コネクタ。
【請求項７】
前記各組立溝は、絶縁本体の上部側に開口することを特徴とする請求項１乃至６の何れか１項に記載の押圧式フレキシブル基板用コネクタ。
【請求項８】
前記絶縁本体の上面に２本の係合溝が間隔をおいて形成され、
前記ハウジングの上縁両側にそれぞれ、該係合孔に係合される２つの係合タブが凸設されることを特徴とする請求項７に記載の押圧式フレキシブル基板用コネクタ。
【請求項９】
前記絶縁本体の両側端面にそれぞれ係合凸部が凸設され、
前記ハウジングの両側端面にそれぞれ、該係合凸部に係合される係合凹部が形成されることを特徴とする請求項８に記載の押圧式フレキシブル基板用コネクタ。
【請求項１０】
請求項１乃至９の何れか１項に記載の押圧式フレキシブル基板用コネクタに接続されるケーブルであって、
そのケーブルは、一端に複数の接点を有し、該一端の両側にそれぞれ位置決め凹部が凹設され、
前記各当接プレートは、ケーブルの上面と接触して押圧し、
前記押圧プレートにより挟持部を下方へ押圧して挟持部を位置決め凹部に係合し、
前記端子の導電部がケーブルの複数の接点と接続されることを特徴とする基板用ケーブル。
【考案の詳細な説明】
【技術分野】
【０００１】
本考案は、特にケーブルのヘッドをしっかりと接続できる押圧式フレキシブル基板用コネクタに関するものである。
【背景技術】
【０００２】
既存のケーブルは、可撓性を備えるものであり、各種電子製品の接続ために用いられ、例えば、ＦＰＣ（Ｐｌｅｘｉｂｌｅ  Ｐｒｉｎｔ  Ｃｉｒｃｕｉｔ）やＦＦＣ（Ｆｌｅｘｉｂｌｅ  Ｆｌａｔ  Ｃａｂｌｅ）などのケーブルをコネクタと接続するためのものである。
既存のケーブルは、対応するコネクタを介して基板に接続され、例えば、図１１に示すように、ケーブル７０がメスコネクタ６１を介して基板６０に接続される。また、そのメスコネクタ６１は基板６０上に設置され、その正面中央に挿設部６２が形成されると共に、正面両側にそれぞれ係合凹部６３が形成され、ケーブル７０は、一端にメスコネクタ６１に挿入するオスヘッド７１が設けられ、該オスヘッド７１に２枚の固定プレート７２が設けられ、それら固定プレート７２の両側にそれぞれ、メスコネクタ６１の係合凹部６３に係合される係合フック７３が設けられ、この構成によれば、ケーブル７０をメスコネクタ６１に挿入して互いに電気接続することができる。
【考案の概要】
【考案が解決しようとする課題】
【０００３】
しかしながら、既存のケーブル及びメスコネクタは、一方にオスヘッドが、他方にメスコネクタが設けられ、所定の組み合わせでしか使えないと共に、それぞれの部品が多すぎて組み立てに時間がかかるので、製造上、非常に不便であり、大量生産がし難いという問題があった。
【課題を解決するための手段】
【０００４】
本考案に係る押圧式フレキシブル基板用コネクタは、絶縁本体と、２つの押圧部材と、ハウジングとを有し、その内、前記絶縁本体は、一側面に挿入開口を有する挿設部が形成され、該挿設部に複数の端子が間隔をおいて設けられ、該各端子の一端に挿設部から突出する導電部が設けられ、該絶縁本体の両側にそれぞれ該挿設部と連通する組立溝が形成され、前記各押圧部材は、回転可能に絶縁本体の組立溝に取り付けられると共に、該組立溝に位置する回転軸を備え、該回転軸の一端に組立溝から外部へ突出する解除部が延設され、該回転軸の他端内側に、底面が挿設部に対応する挟持部が延設され、該挟持部の一側に傾斜面が設けられ、前記ハウジングは、一側面に開口が形成され、上面両側にそれぞれ弾性を備える押圧プレートが設けられ、該開口と反対する他側面に貫通孔が形成され、該他側上縁に複数の当接プレートがそれぞれ間隔をおいて貫通孔側へ延設され、更に、前記ハウジングは、貫通孔が挿設部と対応するように絶縁本体に被装され、前記押圧プレートは、押圧部材の挟持部に押圧され、それら当接プレートは、当接凹部と対応するように挿設部に位置する押圧式フレキシブル基板用コネクタ。
また、かかる押圧式フレキシブル基板用コネクタにおいて、前記挿設部の上壁に複数の当接凹部が間隔をおいて凹設され、該当接凹部と対応するように前記当接タブが挿設部に位置することが好ましい。
また、かかる押圧式フレキシブル基板用コネクタにおいて、前記絶縁本体の両側にそれぞれ、組立溝と連通する軸孔が形成され、前記押圧部材における回転軸の前端に、回転可能に軸孔に挿設される軸心部が凸設されることが好ましい。
また、かかる押圧式フレキシブル基板用コネクタにおいて、前記組立溝が湾曲状に形成され、前記押圧部材の解除部と挟持部とは、互いに反対する方向に向かって延設されることが好ましい。
また、かかる押圧式フレキシブル基板用コネクタにおいて、前記各組立溝は、絶縁本体の上部側に開口することが好ましい。
また、かかる押圧式フレキシブル基板用コネクタにおいて、前記絶縁本体の上面に２本の係合溝が間隔をおいて形成され、前記ハウジングの上縁両側にそれぞれ、該係合孔に係合される２つの係合タブが凸設されることが好ましい。
また、かかる押圧式フレキシブル基板用コネクタにおいて、前記絶縁本体の両側端面にそれぞれ係合凸部が凸設され、前記ハウジングの両側端面にそれぞれ、該係合凸部に係合される係合凹部が形成されることが好ましい。
本考案に係る基板用ケーブル、上述した押圧式フレキシブル基板用コネクタに接続され、そのケーブルは、一端に複数の接点を有し、該一端の両側にそれぞれ位置決め凹部が凹設され、前記各当接プレートは、ケーブルの上面と接触して押圧し、前記押圧プレートにより挟持部を下方へ押圧して挟持部を位置決め凹部に係合し、前記端子の導電部がケーブルの複数の接点と接続されるものである。
【考案の効果】
【０００５】
本考案は上述したように、ケーブル及びコネクタの構成部材を減らすことにより、組み立てを容易にし、例えば、ケーブルをコネクタに挿入して接続する時、コネクタの押圧プレートが付勢力により挟持部を押圧してケーブルを位置決め凹部に係合するので、ケーブルを簡単にコネクタ装置に固定することができ、さらに、製造コストを下げ、大量生産が可能となる。
【図面の簡単な説明】
【０００６】
【図１】本考案に係る押圧式フレキシブル基板用コネクタの斜視図である。
【図２】本考案に係る押圧式フレキシブル基板用コネクタの分解斜視図である。
【図３】本考案に係る押圧式フレキシブル基板用コネクタの正面断面図である。
【図４】本考案に係る押圧式フレキシブル基板用コネクタの側面断面図である。
【図５】本考案に係る押圧式フレキシブル基板用コネクタにおいてケーブルの挿入動作を示す斜視図である。
【図６】本考案に係る押圧式フレキシブル基板用コネクタにおいてケーブルを挿入した状態を示す側面断面図である。
【図７】本考案に係る押圧式フレキシブル基板用コネクタにおいてケーブルを挿入した時、挟持部をやや上方へ移動させて押圧プレートを押し上げた状態を示す側面断面図である。
【図８】本考案に係る押圧式フレキシブル基板用コネクタにおいてケーブルを挿入した時、押圧プレートが挟持部を下方へ押圧して位置決め凹部に係合させた状態を示す側面断面図である。
【図９】本考案に係る押圧式フレキシブル基板用コネクタにおいてケーブルを挿入した状態を示す斜視図である。
【図１０】本考案に係る押圧式フレキシブル基板用コネクタにおいてケーブルを引き抜く時に、解除部を下方に押して押圧部材を回転させた状態を示す正面断面図である。
【図１１】既存のコネクタ装置において、ケーブルを挿入する前の状態を示す斜視図である。
【考案を実施するための形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
図１及び図４に示すように、本考案に係る押圧式フレキシブル基板用コネクタは、絶縁本体１０と、２つの押圧部材２０と、ハウジング３０とを有し、その内、該絶縁本体１０は、矩形かつ細長状のプラスチック構造体であり、その一側面に挿入開口を有する長手方向の挿設部１１が形成され、該挿設部１１の上壁に複数の当接凹部１１０が間隔をおいて凹設され（図３及び図４の如く）、該絶縁本体１０の下部に、複数の端子１２が間隔をおいて設けられ、該各端子１２の一端が挿設部１１の底部から突出する導電部１２０が設けられる。
前記絶縁本体１０の両側にそれぞれ湾曲状または略Ｓ字形の組立溝１３が形成され、該各組立溝１３は、絶縁本体１０の上部が開口し、前端及び後端がそれぞれ絶縁本体１０の前側及び後側を貫通すると共に、底部が挿設部１１と連通し、前記絶縁本体１０の両側にそれぞれ、組立溝１３と連通する軸孔１４が形成される。
前記絶縁本体１０の上面後側に止め縁部１５が凸設され、該止め縁部１５の前側底部に２本の係合溝１６が間隔をおいて形成され、前記絶縁本体１０の両側端面にそれぞれ係合凸部１７が凸設される。
前記押圧部材２０は、回転可能に絶縁本体１０の組立溝１３に取り付けられ、該組立溝１３に位置する回転軸２１を備え、該回転軸２１の前端に、回転可能に軸孔１４に挿設される軸心部２１０が凸設されると共に、該回転軸２１の後端に解除部２２が、前端に挟持部２３が互いに反対する方向に向かって延設される。尚、本実施例においては、前記回転軸２１の後端に、絶縁本体１０の組立溝１３から後側外部へ突出する矩形の解除部２２が延設されると共に、該回転軸２１の前端内側に挟持部２３が延設され、該挟持部２３は、底面及び前端面に弧状の傾斜面が設けられ、その底面が挿設部１１に対応するように組立溝１３に設置され、傾斜面が挿設部１１の挿入開口に対応する設置される。
前記ハウジング３０は、中空状の金属ケースであり、後側面に開口が形成され、上面両側にそれぞれ、ケース内部の斜め下方へ向かって押圧プレート３１が設けられると共に、前側面に貫通孔３２が形成され、更に、前側上縁に、複数の当接プレート３３が間隔をおいて貫通孔３２を通過し且つ後部上方へ湾曲するように設けられると共に、後側上縁に、絶縁本体１０の係合孔１６と対応する２つの係合タブ３４が延設され、両側端面にそれぞれ、絶縁本体１０の係合凸部１７と対応する係合凹部３５が形成される。尚、前記押圧プレート３１は、弾性を備えたプレートであることが好ましい。
図１及び図３に示すように、絶縁本体１０にハウジング３０を組み合わせる時は、貫通孔３２が挿設部１１と対応するようにハウジング３０を絶縁本体１０に被装するが、この時、付勢力により押圧プレート３１により押圧部材２０の挟持部２３に押圧すると共に、係合タブ３４を係合孔１６に係合してハウジング３０の後側上縁を止め縁部１５に当接し、更に、係合凹部３５を係合凸部１７に係合し、それら当接プレート３３を当接凹部１１０と対応するように挿設部１１に位置させる（図４の如く）。
図１乃至図４に示すように、本考案に係る押圧式フレキシブル基板用コネクタは、端子１２の導電部１２０と反対する一端を基板４０の回路と電気接続するように、絶縁本体１０を基板４０に装着して使用する。
また、図５に示すように、本考案に係る押圧式フレキシブル基板用コネクタに基板用ケーブルが接続されて使用する時、そのケーブル５０は、ケーブル一端に複数の接点を有し、該一端の両側にそれぞれ、解除部２２の形状と対応する位置決め凹部５１が凹設される。尚、前記ケーブル５０は、絶縁本体１０の挿設部１１に挿入して使用する。
図６乃至図８に示すように、ケーブル５０を絶縁本体１０の挿設部１１に挿入する時は、ケーブル５０の一端を押圧部材２０の挟持部２３の傾斜面に当接するまで押し込む。この時、挟持部２３がやや上方へ移動して押圧プレート３１を押し上げることにより、挟持部２３の底部と挿設部１１の底部との間に収容隙間が形成されるので、ケーブル５０を収容することができる。そして、位置決め凹部５１が挟持部２３と対応するように、ケーブル５０が挿設部１１に挿入して位置決められると、押圧プレート３１の付勢力により挟持部２３が下方へ移動して位置決め凹部５１に係合し、ケーブル５０をコネクタ装置に固定する。
図４及び図９に示すように、ハウジング３０の各当接プレート３３がケーブル５０の上面に接触して押圧することから、端子１２の導電部１２０をしっかりとケーブル５０の複数の接点と接続させることができる。また、ハウジング３０は金属ケースであることから、ケーブル５０をカバーすると、電磁干渉の発生を防ぐことができる。ケーブル５０と基板４０との間の安定性が向上する。
図１０に示すように、ケーブル５０を挿設部１１から引き抜く時は、２つの解除部２２を押し込んで押圧部材２０を下方へ回転させることにより、挟持部２３を上方へ移動させて押圧プレート３１を押し上げ、挟持部２３の底部と挿設部１１の底部との間に隙間が形成される。この時、位置決め凹部５１が挟持部２３の底部から離れるので、ケーブル５０を挿設部１１から引き抜くと、押圧プレート３１が付勢力により挟持部２３を押圧して復位させる。
【産業上の利用可能性】
【０００８】
本考案は上記の構成を有することから、ケーブル及びコネクタを構成する部材を減らすことができるので、組み立てが簡単になり、製造コストを低減できると共に、大量生産も容易となる。
【符号の説明】
【０００９】
１０          絶縁本体
１１          挿設部
１１０ 当接凹部
１２          端子
１２０ 導電部
１３          組立溝
１４          軸孔
１５          止め縁部
１６          係合孔
１７          係合凸部
２０          押圧部材
２１          回転軸
２１０ 軸心部
２２          解除部
２３          挟持部
３０          ハウジング
３１          押圧プレート
３２          貫通孔
３３          当接プレート
３４          係合タブ
３５          係合凹部
４０          基板
５０          ケーブル
５１          位置決め凹部
６０          基板
６１          メスコネクタ
６２          挿設部
６３          係合凹部
７０          ケーブル
７１          オスヘッド
７２          固定プレート
７３          係合フック
【図１】
0003178690.tif 000003
【図２】
0003178690.tif 000004
【図３】
0003178690.tif 000005
【図４】
0003178690.tif 000006
【図５】
0003178690.tif 000007
【図６】
0003178690.tif 000008
【図７】
0003178690.tif 000009
【図８】
0003178690.tif 000010
【図９】
0003178690.tif 000011
【図１０】
0003178690.tif 000012
【図１１】
0003178690.tif 000013